(57)【特許請求の範囲】
【請求項１】
複数の端末装置と、前記複数の端末装置を通信のために相互に識別する識別情報を設定するための識別情報設定装置と、を備える識別情報設定システムであって、
前記複数の端末装置は、
自己を一意に特定する特定情報を格納する格納手段と、
第１測定手段と、
第１測定結果特定情報出力手段と、
第１設定手段と、を備え、
前記識別情報設定装置は、
測定対象出力手段と、
受信手段と、
生成手段と、
設定情報出力手段と、を備え、
前記識別情報設定装置の前記測定対象出力手段は、電波、光、又は音を含む測定対象を出力し、
前記複数の端末装置の前記第１測定手段は、前記識別情報設定装置の前記測定対象出力手段が出力した前記測定対象の物理量を測定し、
前記複数の端末装置各々の前記第１測定結果特定情報出力手段は、自己が属する前記端末装置の前記第１測定手段の測定結果を特定する第１測定結果特定情報、及び自己が属する前記端末装置の前記格納手段に格納されている前記特定情報を出力し、
前記識別情報設定装置の前記受信手段は、前記複数の端末装置の前記第１測定結果特定情報出力手段が出力した前記第１測定結果特定情報及び前記特定情報を受信し、
前記識別情報設定装置の前記生成手段は、前記識別情報設定装置の前記受信手段が受信した前記第１測定結果特定情報及び前記特定情報に基づいて、前記識別情報を設定するための第１設定情報を生成し、
前記識別情報設定装置の前記設定情報出力手段は、前記識別情報設定装置の前記生成手段が生成した前記第１設定情報を前記特定情報と共に出力し、
前記複数の端末装置各々の前記第１設定手段は、前記識別情報設定装置の前記設定情報出力手段が出力した前記第１設定情報及び前記特定情報に基づいて、自己が属する前記端末装置の前記識別情報を設定する、
識別情報設定システム。
【請求項２】
前記識別情報設定装置は、
前記複数の端末装置のうちの所定の条件に該当する端末装置を、中継端末装置として選択する選択手段と、
要求手段と、を備え、
前記中継端末装置は、
中継測定対象出力手段と、
中継手段と、を備え、
前記複数の端末装置のうちの前記中継端末装置以外の端末装置である被中継端末装置は、
第２測定手段と、
第２測定結果特定情報出力手段と、
第２設定手段と、を備え、
前記識別情報設定装置の前記要求手段は、前記識別情報設定装置の前記選択手段が前記中継端末装置を選択した場合に、当該選択した中継端末装置に対して中継を要求し、
前記中継端末装置の前記中継測定対象出力手段は、前記識別情報設定装置の前記要求手段が中継を要求した場合に、前記測定対象を出力し、
前記被中継端末装置の前記第２測定手段は、前記中継端末装置の前記中継測定対象出力手段が出力した前記測定対象の物理量を測定し、
前記被中継端末装置各々の前記第２測定結果特定情報出力手段は、前記被中継端末装置の前記第２測定手段の測定結果を特定する第２測定結果特定情報、及び自己が属する前記被中継端末装置の前記格納手段に格納されている前記特定情報を出力し、
前記中継端末装置の前記中継手段は、前記被中継端末装置の前記第２測定結果特定情報出力手段が出力した前記第２測定結果特定情報及び前記特定情報を、前記識別情報設定装置に中継し、
前記識別情報設定装置の前記受信手段は、前記中継端末装置の前記中継手段が中継した前記第２測定結果特定情報及び前記特定情報を受信し、
前記識別情報設定装置の前記生成手段は、前記識別情報設定装置の前記受信手段が受信した前記第２測定結果特定情報及び前記特定情報に基づいて、前記識別情報を設定するための第２設定情報を生成し、
前記識別情報設定装置の前記設定情報出力手段は、前記識別情報設定装置の前記生成手段が生成した前記第２設定情報を前記特定情報と共に出力し、
前記被中継端末装置各々の前記第２設定手段は、前記識別情報設定装置の前記設定情報出力手段が出力した前記第２設定情報及び前記特定情報に基づいて、自己が属する前記被中継端末装置の前記識別情報を設定する、
請求項１に記載の識別情報設定システム。
【請求項３】
前記識別情報設定装置の前記選択手段は、前記識別情報設定装置の前記受信手段が受信した前記第１測定結果特定情報に基づいて、前記複数の端末装置が前記所定の条件に該当するか否かを判定する、
請求項２に記載の識別情報設定システム。
【請求項４】
前記複数の端末装置各々は、自己が前記中継端末装置であることを示す中継端末識別情報を出力する出力手段、を備え、
前記識別情報設定装置の前記選択手段は、前記複数の端末装置から出力された前記中継端末識別情報に基づいて、前記複数の端末装置が前記所定の条件に該当するか否かを判定する、
請求項２又は３に記載の識別情報設定システム。
【発明の詳細な説明】
【技術分野】
【０００１】
本発明は、識別情報設定システムに関する。
【背景技術】
【０００２】
従来、監視領域において火災が発生した場合に、例えば聴覚障害者等に火災発生を報知するための光警報装置が知られている。この光警報装置は、火災が発生した場合に受信機からの制御信号を受信した場合に光を出力することにより、火災発生を報知していた。そして、この光警報装置においては、迅速且つ確実に火災発生を報知するために、当該光警報装置を監視領域に所定間隔（例えば、１０数メートル等）毎に設置すること（つまり、複数設置すること）や、避難誘導のために、複数設置した光警報装置を所定の順序に従って順次発光させることや、設置作業の手間を軽減するために、受信機との間で無線通信を行う無線通信方式を採用すること等が求められていた。
【０００３】
そこで、受信機と、複数の無線式の光警報装置とを備えた光警報システムが提案されている（例えば、特許文献１参照）。この光警報システムについては、複数の無線式の光警報装置各々に対して通信用の識別情報（例えば、アドレス）が設定されており、受信機が当該アドレスを指定して制御することにより、所定の順序に従って光警報装置を順次発光させていた。
【先行技術文献】
【特許文献】
【０００４】
【特許文献１】特開２０１４−１８６４３０号公報
【発明の概要】
【発明が解決しようとする課題】
【０００５】
ところが、上記特許文献１の光警報システムにおいては、複数の無線式の光警報装置各々に対する識別情報の設定については、ユーザの手作業に頼らざるを得ず、当該識別情報の設定作業が手間となっていた。
【０００６】
本発明は、上記に鑑みてなされたものであって、上記光警報装置の如き様々な端末装置に対して識別情報を容易に設定することが可能になる、識別情報設定システムを提供することを目的とする。
【課題を解決するための手段】
【０００７】
上述した課題を解決し、目的を達成するために、請求項１に記載の識別情報設定システムは、複数の端末装置と、前記複数の端末装置を通信のために相互に識別する識別情報を設定するための識別情報設定装置と、を備える識別情報設定システムであって、前記複数の端末装置は、自己を一意に特定する特定情報を格納する格納手段と、第１測定手段と、第１測定結果特定情報出力手段と、第１設定手段と、を備え、前記識別情報設定装置は、測定対象出力手段と、受信手段と、生成手段と、設定情報出力手段と、を備え、前記識別情報設定装置の前記測定対象出力手段は、電波、光、又は音を含む測定対象を出力し、前記複数の端末装置の前記第１測定手段は、前記識別情報設定装置の前記測定対象出力手段が出力した前記測定対象の物理量を測定し、前記複数の端末装置各々の前記第１測定結果特定情報出力手段は、自己が属する前記端末装置の前記第１測定手段の測定結果を特定する第１測定結果特定情報、及び自己が属する前記端末装置の前記格納手段に格納されている前記特定情報を出力し、前記識別情報設定装置の前記受信手段は、前記複数の端末装置の前記第１測定結果特定情報出力手段が出力した前記第１測定結果特定情報及び前記特定情報を受信し、前記識別情報設定装置の前記生成手段は、前記識別情報設定装置の前記受信手段が受信した前記第１測定結果特定情報及び前記特定情報に基づいて、前記識別情報を設定するための第１設定情報を生成し、前記識別情報設定装置の前記設定情報出力手段は、前記識別情報設定装置の前記生成手段が生成した前記第１設定情報を前記特定情報と共に出力し、前記複数の端末装置各々の前記第１設定手段は、前記識別情報設定装置の前記設定情報出力手段が出力した前記第１設定情報及び前記特定情報に基づいて、自己が属する前記端末装置の前記識別情報を設定する。
【０００８】
請求項２に記載の識別情報設定システムは、請求項１に記載の識別情報設定システムにおいて、前記識別情報設定装置は、前記複数の端末装置のうちの所定の条件に該当する端末装置を、中継端末装置として選択する選択手段と、要求手段と、を備え、前記中継端末装置は、中継測定対象出力手段と、中継手段と、を備え、前記複数の端末装置のうちの前記中継端末装置以外の端末装置である被中継端末装置は、第２測定手段と、第２測定結果特定情報出力手段と、第２設定手段と、を備え、前記識別情報設定装置の前記要求手段は、前記識別情報設定装置の前記選択手段が前記中継端末装置を選択した場合に、当該選択した中継端末装置に対して中継を要求し、前記中継端末装置の前記中継測定対象出力手段は、前記識別情報設定装置の前記要求手段が中継を要求した場合に、前記測定対象を出力し、前記被中継端末装置の前記第２測定手段は、前記中継端末装置の前記中継測定対象出力手段が出力した前記測定対象の物理量を測定し、前記被中継端末装置各々の前記第２測定結果特定情報出力手段は、前記被中継端末装置の前記第２測定手段の測定結果を特定する第２測定結果特定情報、及び自己が属する前記被中継端末装置の前記格納手段に格納されている前記特定情報を出力し、前記中継端末装置の前記中継手段は、前記被中継端末装置の前記第２測定結果特定情報出力手段が出力した前記第２測定結果特定情報及び前記特定情報を、前記識別情報設定装置に中継し、前記識別情報設定装置の前記受信手段は、前記中継端末装置の前記中継手段が中継した前記第２測定結果特定情報及び前記特定情報を受信し、前記識別情報設定装置の前記生成手段は、前記識別情報設定装置の前記受信手段が受信した前記第２測定結果特定情報及び前記特定情報に基づいて、前記識別情報を設定するための第２設定情報を生成し、前記識別情報設定装置の前記設定情報出力手段は、前記識別情報設定装置の前記生成手段が生成した前記第２設定情報を前記特定情報と共に出力し、前記被中継端末装置各々の前記第２設定手段は、前記識別情報設定装置の前記設定情報出力手段が出力した前記第２設定情報及び前記特定情報に基づいて、自己が属する前記被中継端末装置の前記識別情報を設定する。
【０００９】
請求項３に記載の識別情報設定システムは、請求項２に記載の識別情報設定システムにおいて、前記識別情報設定装置の前記選択手段は、前記識別情報設定装置の前記受信手段が受信した前記第１測定結果特定情報に基づいて、前記複数の端末装置が前記所定の条件に該当するか否かを判定する。
【００１０】
請求項４に記載の識別情報設定システムは、請求項２又は３に記載の識別情報設定システムにおいて、前記複数の端末装置各々は、自己が前記中継端末装置であることを示す中継端末識別情報を出力する出力手段、を備え、前記識別情報設定装置の前記選択手段は、前記複数の端末装置から出力された前記中継端末識別情報に基づいて、前記複数の端末装置が前記所定の条件に該当するか否かを判定する。
【発明の効果】
【００１１】
請求項１に記載の識別情報設定システムによれば、識別情報設定装置から出力される測定対象についての複数の端末装置による測定結果に基づいて識別情報が設定されるので、例えば、複数の端末装置に対してユーザが手作業にて識別情報を設定することなく、識別情報を自動的に設定することができ、識別情報を容易に設定することが可能になる。
【００１２】
請求項２に記載の識別情報設定システムによれば、識別情報設定装置と被中継端末装置との間の通信を中継端末装置が中継するので、例えば、識別情報設置装置とは直接通信することが困難となっている被中継端末装置に対しても識別情報を設定することが可能になる。
【００１３】
請求項３に記載の識別情報設定システムによれば、識別情報設定装置の受信手段が受信した第１測定結果特定情報に基づいて、複数の端末装置が所定の条件に該当するか否かを判定するので、例えば、識別情報設定装置との間で安定的に通信することが可能な端末装置を中継端末装置として選択することができ、複数の端末装置に対する識別情報の設定漏れを防止することができる。
【００１４】
請求項４に記載の識別情報設定システムによれば、複数の端末装置から出力された中継端末識別情報に基づいて、複数の端末装置が所定の条件に該当するか否かを判定するので、例えば、複数の端末装置の設置位置等を反映してユーザが中継端末装置を指定することができ、複数の端末装置に対する識別情報の設定漏れを防止することができる。
【図面の簡単な説明】
【００１５】
【図１】本発明の実施の形態に係る防災システムの構成を示す概略図である。
【図２】光警報装置の電気的構成を機能概念的に示すブロック図である。
【図３】受信機の電気的構成を機能概念的に示すブロック図である。
【図４】選択条件特定情報を例示した図である。
【図５】光警報装置及び受信機のアドレス設定処理のフローチャートである。
【図６】中継設定処理に含まれている中継処理と被中継処理のフローチャートである。
【図７】アドレス設定処理の一例を説明するための図である。
【発明を実施するための形態】
【００１６】
以下、本発明に係る識別情報設定システムの実施の形態について図面を参照しつつ詳細に説明する。ただし、実施の形態によって本発明が限定されるものではない。
【００１７】
〔実施の形態の基本的概念〕
まずは、実施の形態の基本的概念について説明する。実施の形態は、概略的に、複数の端末装置に対して測定対象を出力し、当該出力した測定対象の物理量を複数の端末装置が測定し、当該測定結果に基づいて複数の端末装置の識別情報を設定する識別情報設定システムに関するものである。
【００１８】
ここで、「端末装置」は、通信を行う装置であり、例えば、防災システムに含まれる装置、防災システムに含まれる装置以外の装置等が該当する。「防災システム」は、防災のためのシステムであって、監視領域における異常を監視して、異常を報知するためのシステムであり、少なくとも、警報装置と、受信機とを備えて構成されている。「監視領域」は、防災システムによる監視対象となっている領域であり、例えば、建築物の部屋、廊下、階段等を含む概念である。「異常」は、通常とは違っていることであり、例えば、火災の発生、ガス漏れの発生等が該当する。「警報装置」は、警報を出力する装置であり、例えば、感知器、発信機、鳴動機、及び光警報装置等が該当する。「感知器」は、監視領域における異常の有無を感知する感知手段であり、例えば、煙や熱を感知して火災を火災感知器、ガスを感知するガス漏れ感知器、あるいは人体を感知する人感センサが該当する。「発信機」は、押しボタンスイッチを備えて構成されており、この押しボタンスイッチがユーザによって押圧操作された場合に異常出力を行う起動装置である。「鳴動機」は、監視領域における異常を報知する警報手段であって、音を出力して異常を報知する装置であり、例えば、非常ベル等が該当する。「光警報装置」は、監視領域における異常を報知する警報手段であって、光を出力して異常を報知する装置である。また、「受信機」は、防災のための処理を行う装置（火災受信盤）であり、例えば、測定対象を出力し、当該出力した測定対象についての測定結果に基づいて、複数の端末装置の識別情報を設定する識別情報設定装置である。「測定対象」は、測定の対象であり、例えば、電波、光、音等が該当する。「物理量」は、測定対象の物理的な量であり、例えば、電界強度、光量、音量等が該当する。「識別情報」は、複数の端末装置を通信のために相互に識別するための情報であり、例えば、アドレス等が該当する。
【００１９】
そして、本実施の形態では、「端末装置」が「光警報装置」であり、「測定対象」が「電波」であり、「物理量」が「電界強度」であり、「識別情報」が「アドレス」である場合について説明する。
【００２０】
〔実施の形態の具体的内容〕
次に、実施の形態の具体的内容について説明する。
【００２１】
（構成）
まず、実施の形態に係る防災システムの構成について説明する。図１は、実施の形態に係る防災システムの構成を示す概略図である。なお、この図１は、建築物１００における所定階（例えば、１階）の平面図である。この図１に示すように、防災システム１は、建築物１００に設けられている防災手段であって、光警報装置２１１〜２２１に対してアドレスを設定するための識別情報設定システムであり、光警報装置２１１〜２２１、及び受信機３０を備えている。なお、防災システム１には、実際には感知器、及び鳴動機等も備えられているが、図１においては図示が省略されている。また、防災システム１には、実際には、建築物１００の規模に応じて光警報装置２１１〜２２１の他にも、所定個数の光警報装置が備えられているが、ここでは、図１に示す光警報装置２１１〜２２１について、以下説明する。また、光警報装置２１１〜２２１を互いに区別する必要が無い場合には、「光警報装置２０」と総称して、以下説明する。
【００２２】
（構成−光警報装置）
最初に、光警報装置２０の構成について説明する。光警報装置２０は、監視領域の異常を報知する警報手段であり、具体的には、光を出力することにより監視領域の異常を報知する装置である。この光警報装置２０については、所定の法令又はユーザのニーズに従って、建築物１００における任意の位置に設置することが可能であるが、ここでは、図１に示すように、出入口１０１に通じる廊下１１の西側から東側に向かって光警報装置２１１〜２１７の順に設置されており、廊下１２の北側から南側に向かって光警報装置２１８〜２２１の順に設置されているものとして、以下説明する。
【００２３】
図２は、光警報装置２０の電気的構成を機能概念的に示すブロック図である。この図２に示すように、光警報装置２０は、通信部２１、発光部２２、発光駆動部２３、記憶部２４、及び制御部２５を備えている。
【００２４】
（構成−光警報装置−通信部）
通信部２１は、図１の受信機３０、及び光警報装置２０における自己以外との無線通信を行う通信手段であり、例えば、無線通信回路等を備えて構成されている。
【００２５】
（構成−光警報装置−発光部）
図２に戻って、発光部２２は、発光する発光手段であり、具体的には、駆動電流が供給されることにより光を出力するものであって、例えば、発光ダイオード等を備えて構成されている。
【００２６】
（構成−光警報装置−発光駆動部）
発光駆動部２３は、発光部２２を駆動する発光駆動手段であり、具体的には、発光部２２に駆動電流を供給するものであって、例えば、駆動電流供給回路等を備えて構成されている。
【００２７】
（構成−光警報装置−記憶部）
記憶部２４は、光警報装置２０の動作に必要なプログラム及び各種のデータを記憶する記憶手段である。この記憶部２４には、自己が属する光警報装置２０のＩＤ及びアドレスが格納される。ここで、「ＩＤ」とは、機器を一意に特定するための特定情報であり、「アドレス」とは別に予め設定されている情報である。そして、このようなＩＤは、光警報装置２０の製造時に公知の手法にて記憶されるものとする。また、アドレスは、後述するアドレス設定処理が実行された場合にはじめて記憶されるものとする（つまり、後述するアドレス設定処理が実行されるまでは記憶されていないものとする）。ここで、「アドレス設定処理」とは、アドレスを設定するための処理であって、図１の光警報装置２０のアドレスを設定するために防災システム１が実行する処理である。
【００２８】
（構成−光警報装置−制御部）
制御部２５は、光警報装置２０を制御する制御手段である。この制御部２５は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（この点は他の装置や機器の制御部も同様）。特に、本実施の形態に係るプログラムは、任意の記憶媒体又はネットワークを介して光警報装置２０にインストールされることで、制御部２５の各部を実質的に構成する。
【００２９】
この制御部２５は、機能概念的には、測定部２５１、通信制御部２５２、及び設定部２５３を備える。この測定部２５１は、電波の電界強度を測定する測定手段であり、特に、後述する第１要求信号の電界強度を測定する第１測定手段であり、また、後述する第２要求信号の電界強度を測定する第２測定手段である。通信制御部２５２は、通信を制御する通信制御手段であり、特に、後述の第１要求信号に対する後述の第１応答信号を出力する第１測定結果特定情報出力手段であり、また、後述の第２要求信号に対する後述の第２応答信号を出力する第２測定結果特定情報出力手段であり、また、後述の第２要求信号を出力する中継測定対象出力手段であり、また、後述の第２応答信号を中継する中継手段であり、また、自己が信号を中継する光警報装置２０である中継端末（中継端末装置）として設定されていることを示す中継端末識別情報を出力する出力手段である。設定部２５３は、アドレスを設定する設定手段であり、特に、後述の第１設定信号に基づいてアドレスを設定する第１設定手段であり、また、後述の第２設定信号に基づいてアドレスを設定する第２設定手段である。なお、この制御部２５の各部による具体的な処理内容については後述する。
【００３０】
ここで、「第１要求信号」とは、第１応答信号を要求する無線信号であり、具体的には、受信機３０が出力する測定対象としての一定電界強度の電波である。「第１応答信号」とは、第１要求信号に対する応答の無線信号であり、具体的には、光警報装置２０が出力する信号である。「第１設定信号」とは、中継端末を選択したり、アドレスを設定したりするための無線信号であり、具体的には、受信機３０が出力する信号である。「第２要求信号」とは、第２応答信号を要求する無線信号であり、具体的には、光警報装置２０が出力する測定対象としての一定電界強度の電波である。「第２応答信号」とは、第２要求信号に対する応答の無線信号であり、具体的には、光警報装置２０が出力する信号である。「第２設定信号」とは、中継端末を選択したり、アドレスを設定したりするための無線信号であり、具体的には、受信機３０が出力する信号である。
【００３１】
これら各信号について、以下において、「第１要求信号」と「第２要求信号」とを互いに区別する必要が無い場合には、「要求信号」と総称し、「第１応答信号」と「第２応答信号」とを互いに区別する必要が無い場合には、「応答信号」と総称し、「第１設定信号」と「第２設定信号」とを互いに区別する必要が無い場合には、「設定信号」と総称して説明する。また、これら各信号に含まれている情報については、任意の情報を含めることができるが、ここでは、以下に示す情報が含まれているものとして説明する。具体的には、「要求信号」には、少なくとも要求装置情報が含まれており、「応答信号」には、少なくとも測定結果情報（測定結果特定情報）、及び応答装置情報が含まれており、「設定信号」には、少なくとも設定アドレス情報（設定情報）、設定対象装置情報、中継端末選択情報、及び通信情報が含まれているものとする。
【００３２】
そして、「要求装置情報」とは、要求する装置を特定する情報であり、具体的には、要求信号を送信する受信機３０又は光警報装置２０のＩＤである。「測定結果情報」とは、測定結果を特定する情報であり、具体的には、要求信号（つまり、電波）の電界強度の測定値である。「応答装置情報」とは、応答する装置を特定する情報であり、具体的には、応答信号を送信する光警報装置２０のＩＤである。「通信情報」とは、通信を行う装置を特定する情報であり、具体的には、通信を行う受信機３０又は光警報装置２０のＩＤである。「設定アドレス情報」とは、設定するべきアドレスを特定する情報であり、具体的には、アドレス値である。「設定対象装置情報」とは、アドレスを設定するべき光警報装置２０である設定対象装置を特定する情報であり、具体的には、アドレスを設定するべき光警報装置２０のＩＤである。「中継端末選択情報」とは、中継端末として選択する装置を特定する情報であり、具体的には、中継端末として選択する光警報装置２０のＩＤである。
【００３３】
（構成−受信機）
次に、受信機３０の構成について説明する。受信機３０は、防災のための処理を行う防災受信手段である。この受信機３０については、所定の法令又はユーザのニーズに従って、建築物１００における任意の位置に設置することが可能であるが、ここでは、図１に示すように、出入口１０１に通じる廊下１１における光警報装置２１１よりも西側に設置されているものとして、以下説明する。図３は、受信機３０の電気的構成を機能概念的に示すブロック図である。この図３に示すように、受信機３０は、入力部３１、出力部３２、通信部３３、記憶部３４、及び制御部３５を備えている。
【００３４】
（構成−受信機−入力部）
入力部３１は、受信機３０の動作に必要な情報の入力を受け付ける入力手段であり、例えば、タッチパネル、スイッチ、及び外部入力端子を備えて構成されている。
【００３５】
（構成−受信機−出力部）
出力部３２は、受信機３０の動作に必要な情報の出力を行う出力手段であり、例えば、スピーカ、ディスプレイ、表示灯、及び外部出力端子を備えて構成されている。
【００３６】
（構成−受信機−通信部）
通信部３３は、光警報装置２０との無線通信を行う通信手段であり、例えば、無線通信回路等を備えて構成されている。
【００３７】
（構成−受信機−記憶部）
記憶部３４は、受信機３０の動作に必要なプログラム及び各種のデータを記憶する記憶手段である。この記憶部３４は、例えば、外部記憶装置としてのハードディスク（図示省略）を用いて構成されているが、ハードディスクに代えてあるいはハードディスクと共に、磁気ディスクの如き磁気的記憶媒体、又はＤＶＤやブルーレイディスクの如き光学的記憶媒体を含む、その他の任意の記憶媒体を用いることができる（この点については、他の装置や機器の記憶部も同様としてもよい）。
【００３８】
この記憶部３４には、アドレス特定情報３４１、及び選択条件特定情報３４２が格納されている。
【００３９】
ここで、「アドレス特定情報」３４１とは、アドレスを特定する情報であり、具体的には、各光警報装置２０に対して設定するアドレスを特定する情報であって、例えば、各警報装置２０のＩＤとアドレスとが対応付けられている情報である。そして、このようなアドレス特定情報３４１については、アドレス設定処理において記憶される。
【００４０】
「選択条件特定情報」３４２とは、選択条件を特定する情報である。「選択条件」とは、該当する警報装置２０を、中継端末として選択するための所定の条件である。図４は、選択条件特定情報３４２を例示した図である。この図４に示すように、選択条件特定情報３４２は、項目「優先順位」、及び項目「選択条件」と、各項目に対応する情報とを、相互に関連付けて構成されている。
【００４１】
ここで、図４の項目「優先順位」に対応する情報は、優先順位を特定する情報であり、具体的には、適用するべき選択条件の優先順位を特定する情報である（図４では、「１」及び「２」）。なお、図４においては、数値が小さいものが優先されるように設定されているものとする。
【００４２】
また、項目「選択条件」に対応する情報は、選択条件を特定する情報である（図４では、「電界強度が閾値以上であり、かつ中継端末識別情報を送信した装置であること」、及び「閾値以上の電界強度の内、最小の電界強度の装置であること」）。ここで、図４の「電界強度が閾値以上であり、かつ中継端末識別情報を送信した装置であること」は、中継端末として選択するべき光警報装置２０をマニュアル指定するユーザの意図を考慮した選択条件であり、中継端末識別情報を送信し、且つ、閾値以上の電界強度を測定した光警報装置２０のことを示している。ここで、「電界強度の値」については、任意に表現することができるが、以下では前述の第１要求信号及び第２要求信号の電界強度の値に対する比率に「１００」を乗じた値（つまり、例えば、第１要求信号の電界強度の値の４０％の電界強度については、「４０」）を用いるものとして、説明する。また、「閾値」とは、中継端末を選択するための判定において用いられる値であって、中継端末として選択されるか否かの境の電界強度の値であって、具体的な値については、安定的に通信を行える値であれば任意に設定することができるが、ここでは、例えば、「５０」に設定されているものとして、以下説明する。また、図４の「閾値以上の電界強度の内、最小の電界強度の装置であること」は、安定的に通信を行える値の電界強度の電波にて確実に通信を行わせることを考慮した選択条件であり、測定した値が閾値（ここでは、「５０」）以上の電界強度のうちの最小の電界強度を測定した光警報装置２０のことを示している。そして、このような選択条件特定情報３４２については、図１の建築物１００の内部構造等（例えば、廊下の分岐点の位置、数、及び分岐数、電波の遮蔽物の位置等）に基づいて定められ、入力部３１を介して入力されて記憶されるものとする。
【００４３】
（構成−受信機−制御部）
制御部３５は、受信機３０を制御する制御手段である。この制御部３５は、機能概念的には、通信制御部３５１、生成部３５２、及び選択部３５３を備える。この通信制御部３５１は、通信を制御する通信制御手段であり、特に、第１要求信号を出力する測定対象出力手段であり、また、第１応答信号を受信する受信手段であり、また、中継端末に対して信号の中継を要求する要求手段であり、また、第１設定信号又は第２設定信号を出力する設定情報出力手段である。生成部３５２は、第１設定信号又は第２設定信号を生成する生成手段である。選択部３５３は、中継端末を選択する選択手段である。なお、この制御部３５の各部による具体的な処理内容については後述する。
【００４４】
（処理）
次に、このように構成される防災システム１によって実行されるアドレス設定処理について説明する。このアドレス設定処理は、防災システム１に含まれている各装置への電源投入後に、この各装置により実行される。
【００４５】
図５は、光警報装置２０及び受信機３０のアドレス設定処理のフローチャートである。なお、以下では、「ステップ」を「Ｓ」と略記する。図６は、中継設定処理に含まれている中継処理と被中継処理のフローチャートである。
【００４６】
図７は、アドレス設定処理の一例を説明するための図である。この図７は、アドレス設定処理において取得した電界強度の値と、アドレス設定処理において設定されたアドレスの一例を示している。この図７には、項目「機器ＩＤ」、項目「電界強度」、及び項目「割付アドレス」と、各項目に対応する情報とが関連付けられて示されている。項目「機器ＩＤ」に対応する情報は、光警報装置２０のＩＤを特定する情報である（図７では、「ＩＤ２１１」〜「ＩＤ２２１」）。なお、図７のＩＤ２１１〜ＩＤ２２１は、図１の光警報装置２１１〜２２１のＩＤである。図７に戻って、項目「電界強度」には、項目「受信機」、項目「中継端末（ＩＤ２１４）」、項目「中継端末（ＩＤ２１８）」、及び項目「中継端末（ＩＤ２２０）」が含まれている。項目「電界強度」の項目「受信機」に対応する情報は、第１要求信号の電波の電界強度の測定結果を特定する情報である（図７では、「９５」等）。項目「電界強度」の項目「中継端末（ＩＤ２１４）」に対応する情報は、中継端末である光警報装置２１４が出力した第２要求信号の電波の電界強度の測定結果を特定する情報である（図７では、「８０」等）。項目「電界強度」の項目「中継端末（ＩＤ２１８）」に対応する情報は、中継端末である光警報装置２１８が出力した第２要求信号の電波の電界強度の測定結果を特定する情報である（図７では、「５０」等）。項目「電界強度」の項目「中継端末（ＩＤ２２０）」に対応する情報は、中継端末である光警報装置２２０が出力した第２要求信号の電波の電界強度の測定結果を特定する情報である（図７では、「７０」）。項目「割付アドレス」に対応する情報は、各光警報装置２０に対して割り当てられたアドレスを特定する情報である（図７の場合、「Ａｄｒ１」等）。この図７の一例を適宜用いて、以下においてアドレス処理の詳細について説明する。ここでは、例えば、図１の光警報装置２１４、２１８が、ユーザによって中継端末として設定されている場合について説明する。なお、中継端末として設定する設定手法については、任意の手法を用いることができるが、例えば、各光警報装置２０に対して中継端末として機能させるための機能設定スイッチが設けられており、当該スイッチを押下することにより設定してもよい。
【００４７】
まず、図５のＳＡ１において受信機３０の通信制御部３５１は、第１要求信号を無線送信する。具体的には、通信部３３を介して送信する。ここでは、例えば、「要求装置情報」＝「ＩＤ３０」を含む第１要求信号を送信し、この第１要求信号は、図１の光警報装置２１１〜２２１のうちの光警報装置２１１〜２２０に到達し、光警報装置２２１には到達しないものとする。なお、「ＩＤ３０」は、受信機３０のＩＤである。
【００４８】
図５に戻って、一方、ＳＢ１において光警報装置２０の通信制御部２５２は、受信機３０からの第１要求信号を無線受信する。具体的には、通信部２１を介して受信する。ここでは、例えば、図１の光警報装置２１１〜２２０のみが第１要求信号を受信する。
【００４９】
図５に戻って、ＳＢ２において光警報装置２０の測定部２５１は、第１要求信号の電界強度を測定する。具体的には、ＳＢ１において無線受信した第１要求信号の電界強度を測定する。ここでは、例えば、図１の光警報装置２１１〜２２０は各々、図７の項目「電界強度」の項目「受信機」に示すように、電界強度として「９５」、「９０」、「８０」、「７０」、「６０」、「５０」、「４０」、「６５」、「６０」、「３０」を測定するものとする。また、光警報装置２２１は、第１要求信号を受信しなかったので、測定を行わない。
【００５０】
図５に戻って、ＳＢ３において光警報装置２０の通信制御部２５２は、第１応答信号を生成し、当該生成した第１応答信号を無線送信し、また、自己が中継端末として指定されている場合には、中継端末識別情報も無線送信する。第１応答信号の送信について具体的には、「測定結果情報」＝「ＳＢ２での測定値」、及び「応答装置情報」＝「自己のＩＤ（つまり、図２の記憶部２４に記憶されているＩＤ）」を含む第１応答信号を生成し、当該生成した第１応答信号を通信部２１を介して送信する。
【００５１】
ここでは、例えば、図１の光警報装置２１１は、自己の測定結果が含まれている第１応答信号（つまり、「測定結果情報」＝「９５」、及び「応答装置情報」＝「ＩＤ２１１」を含む第１応答信号）を生成して送信し、光警報装置２１２〜２２０も同様にして、自己の測定結果が含まれている第１応答信号を生成して送信する。なお、光警報装置２２１は、第１要求信号を受信しなかったので、第１応答信号を送信しない。また、光警報装置２１４、２１８は、上述したように中継端末として設定（指定）されているので、中継端末識別情報も送信する。
【００５２】
図５に戻って、一方、ＳＡ２において受信機３０の通信制御部３５１は、光警報装置２０からの第１応答信号を無線受信する。具体的には、通信部３３を介して受信する。ここでは、例えば、図１の光警報装置２１１〜２２０からの第１応答信号を受信する。そして、この受信した第１応答信号に含まれている「測定結果情報」及び「応答装置情報」により、図７の項目「機器ＩＤ」に対応する情報（「ＩＤ２１１」等）及び項目「電界強度」の項目「受信機」に対応する情報（「９５」等）を特定することが可能になる。
【００５３】
図５に戻って、ＳＡ３において受信機３０の生成部３５２は、アドレスの割り付け（割り当て）を行う。具体的には、まず、受信機３０の選択部３５３は、ＳＡ２において受信した第１応答信号、及び図４の選択条件特定情報３４２に基づいて、選択条件特定情報３４２の選択条件に該当するか否かを判定し、当該判定結果に基づいて中継端末を選択する。この選択手法について具体的には、選択条件特定情報３４２中の優先順位に基づいて、当該選択条件特定情報３４２中において最も優先される１つの選択条件を取得し、取得した当該１つの選択条件に該当する光警報装置２０が有るか無いかの判定（以下、中継端末判定）を行う。そして、当該１つの選択条件に該当する光警報装置２０が有ると判定した場合には、当該１つの選択条件に該当する光警報装置２０を中継端末として選択し、中継端末の選択処理を終了する。一方、当該１つの選択条件に該当する光警報装置２０が無いと判定した場合には、選択条件特定情報３４２中の優先順位に基づいて、当該選択条件特定情報３４２中において前述の取得した選択条件の次に優先される１つの選択条件を取得し、取得した当該１つの選択条件に基づいて、前述の中継端末判定を行う。なお、これらの選択条件特定情報３４２中の選択条件を取得する処理、及び中継端末判定を行う処理は、何れかの光警報装置２０が中継端末として選択されるか、又は、選択条件特定情報３４２中の全ての選択条件についての中継端末判定が行われるまで、繰り返し行われる。
【００５４】
ここでは、例えば、まず、項目「優先順位」＝「１」に対応する項目「選択条件」＝「電界強度が閾値以上であり、かつ中継端末識別情報を送信した装置であること」を取得する（図４の例参照）。そして、図７の例の場合には、図５のＳＡ２において受信した光警報装置２１４と光警報装置２１８からの第１応答信号に「中継端末識別情報」が含まれており、且つ、光警報装置２１４と光警報装置２１８からの第１応答信号の「測定結果情報」が「７０」及び「６５」であり「閾値」＝「５０」以上であるので、「中継端末」として「光警報装置２１４」と「光警報装置２１８」を選択する。（つまり、ここでは、光警報装置２１４、２１８を中継端末として選択する）。そして、光警報装置２１４、２１８が中継端末として選択されたので、項目「優先順位」＝「２」に対応する項目「選択条件」＝「閾値以上の電界強度の内、最小の電界強度の装置であること」については取得すること無く、中継端末の選択処理を終了する。
【００５５】
次に、受信機３０の生成部３５２は、中継端末を選択したか否かに基づいて、アドレスを割り付ける。そして、中継端末を選択した場合、選択した中継端末が測定した電界強度より高い電界強度を測定した光警報装置２０及び中継端末として選択された光警報装置２０に対して、測定した電界強度が高い方から低い方に向かって順次連続するアドレスを割り付ける（なお、中継端末として複数の光警報装置２０が選択された場合には、当該複数の光警報装置２０には互いに同一のアドレスを割り付ける）。また、中継端末を選択しなかった場合、全ての光警報装置２０に対して、測定した電界強度が高い方から低い方に向かって順次連続するアドレスを割り付ける。
【００５６】
ここでは、例えば、光警報装置２１４、２１８を中継端末として選択したので、図７の項目「電界強度」の項目「受信機」において、ＩＤ２１４の「７０」よりも高い電界強度（「９５」、「９０」、「８０」）に対応するＩＤ２１１〜ＩＤ２１３（つまり、光警報装置２１１〜２１３）に対して、測定した電界強度が高い方から低い方に向かって順次連続するアドレス（「Ａｄｒ１」〜「Ａｄｒ３」）を割り付ける。次に、図７のＩＤ２１４、ＩＤ２１８（つまり、光警報装置２１４、２１８）に対して、前述の「Ａｄｒ３」に続く「Ａｄｒ４」を割り付ける。
【００５７】
図５に戻って、ＳＡ４において受信機３０の生成部３５２は、図３の記憶部３４に記憶されているアドレス特定情報３４１を更新する。具体的には、ＳＡ３において割り付けたアドレスが反映されるように更新する。ここでは、例えば、「ＩＤ２１１」に対して「Ａｄｒ１」、「ＩＤ２１２」に対して「Ａｄｒ２」、「ＩＤ２１３」に対して「Ａｄｒ３」、「ＩＤ２１４」に対して「Ａｄｒ４」、及び「ＩＤ２１８」に対して「Ａｄｒ４」が記憶されるように更新する。
【００５８】
図５に戻って、ＳＡ５において受信機３０の通信制御部３５１は、第１設定信号を生成し、当該生成した第１設定信号を無線送信する。具体的には、「設定アドレス情報」＝「ＳＡ４で記憶したアドレス」、「設定対象装置情報」＝「ＳＡ４で記憶した光警報装置２０のＩＤ」、「中継端末選択情報」＝「ＳＡ３で中継端末として選択した光警報装置２０のＩＤ（なお、ＳＡ３において中継端末を選択しなかった場合には、「なし」）」、「通信情報」＝「ＩＤ３０−設定対象装置のＩＤ」を含む第１設定信号を生成し、当該生成した第１設定信号を通信部３３を介して送信する。なお、「通信情報」＝「ＩＤ３０−設定対象装置のＩＤ」については、「ＩＤ３０」に対応する受信機３０から、「設定対象装置のＩＤ」に対応する光警報装置２０に対して直接第１設定信号を送信することを示している。
【００５９】
ここでは、例えば、図１の光警報装置２１１のアドレスを設定するための第１設定信号（つまり、「設定アドレス情報」＝「Ａｄｒ１」、「設定対象装置情報」＝「ＩＤ２１１」、「中継端末選択情報」＝「ＩＤ２１４、ＩＤ２１８」、及び「通信情報」＝「ＩＤ３０−ＩＤ２１１」を含む第１設定信号）を生成して送信し、また、光警報装置２１４のアドレスを設定するための第１設定信号（つまり、「設定アドレス情報」＝「Ａｄｒ４」、「設定対象装置情報」＝「ＩＤ２１４」、「中継端末選択情報」＝「ＩＤ２１４、ＩＤ２１８」、及び「通信情報」＝「ＩＤ３０−ＩＤ２１４」を含む第１設定信号）を生成して送信し、光警報装置２１２、２１３、２１８のアドレスを設定するための第１設定信号についても、同様に生成して送信する。そして、これらの第１設定信号については、図５のＳＡ１の場合と同様に、図１の光警報装置２１１〜２２１のうちの光警報装置２１１〜２２０に到達し、光警報装置２２１には到達しない。
【００６０】
図５に戻って、一方、ＳＢ４において光警報装置２０の通信制御部２５２は、受信機３０からの第１設定信号を無線受信する。具体的には、通信部２１を介して受信する。ここでは、例えば、図１の光警報装置２１１〜２２０のみが、第１設定信号を受信する。
【００６１】
図５に戻って、ＳＢ５において光警報装置２０の設定部２５３は、アドレスを設定する。具体的には、ＳＢ４において受信した第１設定信号の「設定対象装置情報」に自己のＩＤが含まれている場合にのみ、当該第１設定信号の「設定アドレス情報」が特定するアドレスを図２の記憶部２４に記憶することにより設定する。ここでは、例えば、光警報装置２１１〜２１４、２１８は、「Ａｄｒ１」〜「Ａｄｒ４」、「Ａｄｒ４」を自己のアドレスとして設定する。
【００６２】
図５に戻って、ＳＢ６において光警報装置２０の制御部２５は、後述する中継設定処理を実行するか否かを判定する。具体的には、ＳＢ４において受信した第１設定信号の「中継端末選択情報」に光警報装置２０のＩＤが含まれているか否かに基づいて判定する。そして、光警報装置２０のＩＤが含まれている場合、中継設定処理を実行すると判定し（ＳＢ６のＹＥＳ）、ＳＢ７に移行する。また、光警報装置２０のＩＤが含まれていない場合、中継設定処理を実行しないと判定し（ＳＢ６のＮＯ）、アドレス設定処理を終了する。
【００６３】
次に、ＳＢ７において光警報装置２０の制御部２５は、中継設定処理を起動する。「中継設定処理」とは、信号を中継することによりアドレスを設定する処理であり、具体的には、図６に示す「中継処理」と「被中継処理」とを含んでいる。「中継処理」とは、信号を中継する処理であり、具体的には、中継端末として選択された光警報装置２０によって実行される処理である。「被中継処理」とは、信号を中継される処理であり、具体的には、中継処理を実行している光警報装置２０以外の光警報装置２０である被中継端末（被中継端末装置）によって実行される処理である。
【００６４】
ここでは、例えば、図５のＳＢ４において受信した第１設定信号に「中継端末選択情報」＝「ＩＤ２１４、ＩＤ２１８」が含まれているので、図６において、光警報装置２１４、２１８が互いに別々に中継処理を実行する。そして、光警報装置２１４が中継処理を実行している場合には、光警報装置２１１〜２１３、２１５〜２２１が被中継処理を実行し、光警報装置２１８が中継処理を実行している場合には、光警報装置２１１〜２１７、２１９〜２２１が被中継処理を実行する。
【００６５】
図６のＳＣ１において中継端末である光警報装置２０の通信制御部２５２は、第２要求信号を無線送信する。具体的には、「要求装置情報」＝「自己のＩＤ」、「通信情報」＝「直近に受信した設定信号の通信情報」を含む第２要求信号を生成し、当該生成した第２要求信号を通信部２１を介して送信する。ここでは、例えば、図１の光警報装置２１４は、「要求装置情報」＝「ＩＤ２１４」、「通信情報」＝「ＩＤ３０−ＩＤ２１４」を含む第２要求信号を送信し、光警報装置２１８は、「要求装置情報」＝「ＩＤ２１８」、「通信情報」＝「ＩＤ３０−ＩＤ２１８」を含む第２要求信号を送信する。そして、光警報装置２１４からの第２要求信号は、光警報装置２１１〜２１３、２１５〜２２１に到達し、光警報装置２１８からの第２要求信号は、光警報装置２１１〜２１７、２１９〜２２１に到達するものとする。
【００６６】
図６に戻って、一方、ＳＤ１において被中継端末である光警報装置２０の通信制御部２５２は、中継端末である光警報装置２０からの第２要求信号を無線受信する。具体的には、通信部２１を介して受信する。ここでは、例えば、図１の光警報装置２１４からの第２要求信号を、光警報装置２１１〜２１３、２１５〜２２１が受信し、光警報装置２１８からの第２要求信号を、光警報装置２１１〜２１７、２１９〜２２１が受信する。
【００６７】
図６に戻って、ＳＤ２において被中継端末である光警報装置２０の制御部２５は、自己のアドレスが既に設定されているか否かを判定する。具体的には、図２の記憶部２４にアドレスが記憶されているか否かに基づいて判定する。そして、記憶部２４にアドレスが記憶されていない場合、自己のアドレスが未だ設定されていなものと判定し（ＳＤ２のＮＯ）、ＳＤ３に移行する。また、記憶部２４にアドレスが記憶されている場合、自己のアドレスが既に設定されているものと判定し（ＳＤ２のＹＥＳ）、ＳＤ７に移行する。ここでは、例えば、図１の光警報装置２１１〜２１４、２１８は、自己のアドレスが既に設定されているものと判定し、光警報装置２１５〜２１７、２１９〜２１１は、自己のアドレスが未だ設定されていなものと判定する。
【００６８】
図６に戻って、ＳＤ３において被中継端末である光警報装置２０の測定部２５１は、第２要求信号の電界強度を測定する。具体的には、ＳＤ１において受信した第２要求信号の電界強度を測定する。ここでは、例えば、光警報装置２１５〜２１７、２１９〜２１１は、光警報装置２１４からの第２要求信号の電界強度として、図７の項目「電界強度」の項目「中継端末（ＩＤ２１４）」に示すように、「８０」、「７０」、「６０」、「６０」、「５０」、「３０」を測定し、光警報装置２１８からの第２要求信号の電界強度として、図７の項目「電界強度」の項目「中継端末（ＩＤ２１８）」に示すように、「５０」、「４０」、「３０」、「７０」、「６０」、「４５」を測定する。
【００６９】
図６に戻って、ＳＤ４において被中継端末である光警報装置２０の通信制御部２５２は、第２応答信号を生成し、当該生成した第２応答信号を無線送信する。具体的には、「測定結果情報」＝「ＳＤ３での測定値」、「応答装置情報」＝「自己のＩＤ（つまり、図２の記憶部２４に記憶されているＩＤ）」、及び「通信情報」＝「「ＳＤ１において受信した第２要求信号の通信情報」に自己のＩＤを（例えば、最後尾に）付加したもの」を含む第２応答信号を生成し、当該生成した第２応答信号を通信部２１を介して送信する。なお、このように、「第２応答信号」に「通信情報」＝「「ＳＤ１において受信した第２要求信号の通信情報」に自己のＩＤを（例えば、最後尾に）付加したもの」が含まれているので、被中継端末と受信機３０との間の通信経路を特定することが可能になる。
【００７０】
ここでは、例えば、図１の光警報装置２１４からの第２要求信号に応じて、光警報装置２１５は、自己の測定結果が含まれている第２応答信号（つまり、「測定結果情報」＝「８０」、「応答装置情報」＝「ＩＤ２１５」、「通信情報」＝「ＩＤ３０−ＩＤ２１４−ＩＤ２１５」を含む第２応答信号）（以下、第２応答信号Ａ）を生成して送信し、光警報装置２１６、２１７、２１９〜２２１も同様にして、自己の測定結果が含まれている第２応答信号を生成して送信する。なお、ここで、第２応答信号Ａの「通信情報」＝「ＩＤ３０−ＩＤ２１４−ＩＤ２１５」により、受信機３０と光警報装置２１５との間において、光警報装置２１４が通信を中継していることを特定することが可能になる。そして、これらの第２応答信号により、図７の項目「機器ＩＤ」に対応する情報（「ＩＤ２１５」等）、及び項目「電界強度」の項目「中継端末（ＩＤ２１４）」に対応する情報（「８０」等）を特定することが可能になる。また、例えば、図１の光警報装置２１８からの第２要求信号に応じて、光警報装置２１５は、自己の測定結果が含まれている第２応答信号（つまり、「測定結果情報」＝「５０」、「応答装置情報」＝「ＩＤ２１５」、「通信情報」＝「ＩＤ３０−ＩＤ２１８−ＩＤ２１５」を含む第２応答信号）（以下、第２応答信号Ｂ）を生成して送信し、光警報装置２１６、２１７、２１９〜２２１も、同様にして、自己の測定結果が含まれている第２応答信号を生成して送信する。なお、ここで、第２応答信号Ｂの「通信情報」＝「「ＩＤ３０−ＩＤ２１８−ＩＤ２１５」により、受信機３０と光警報装置２１５との間において、光警報装置２１８が通信を中継していることを特定することが可能になる。そして、これらの第２応答信号により、図７の項目「機器ＩＤ」に対応する情報（「ＩＤ２１５」等）、及び項目「電界強度」の項目「中継端末（ＩＤ２１８）」に対応する情報（「５０」等）を特定することが可能になる。
【００７１】
図６に戻って、一方、ＳＣ２において中継端末である光警報装置２０の通信制御部２５２は、被中継端末である光警報装置２０からの第２応答信号を無線中継する。具体的には、ＳＤ４において送信された第２応答信号の「通信情報」を参照して、当該「通信情報」に自己のＩＤが含まれている場合にのみ、通信部２１を介して第２応答信号を中継する。中継する場合について更に具体的には、「通信情報」の自己のＩＤの前のＩＤの装置に対して、第２応答信号を中継する。
【００７２】
ここでは、例えば、「第２応答信号Ａ」及び「第２応答信号Ｂ」については、光警報装置２１４は、「第２応答信号Ａ」の「通信情報」＝「ＩＤ３０−ＩＤ２１４−ＩＤ２１５」に自己のＩＤである「ＩＤ２１４」が含まれているので、当該「ＩＤ２１４」の前の「ＩＤ３０」に対応する受信機３０に対して「第２応答信号Ａ」を中継し、「第２応答信号Ｂ」の「通信情報」＝「ＩＤ３０−ＩＤ２１８−ＩＤ２１５」に自己のＩＤである「ＩＤ２１４」が含まれていないので、「第２応答信号Ｂ」を中継しない。また、例えば、光警報装置２１８は、同様にして、「第２応答信号Ａ」を中継せずに、「第２応答信号Ｂ」を中継する。
【００７３】
一方、図５のＳＡ６において受信機３０の制御部３５は、第２応答信号を無線受信したか否かを判定する。具体的には、ＳＡ５において第１設定信号を送信してから所定時間（例えば、３０秒等）以内に第２応答信号を受信した場合、第２応答信号を無線受信したものと判定し（ＳＡ６のＹＥＳ）、ＳＡ７に移行する。また、ＳＡ５において第１設定信号を送信してから所定時間（例えば、３０秒等）以内に第２応答信号を受信しなかった場合、第２応答信号を無線受信しなかったものと判定し（ＳＡ６のＮＯ）、全ての光警報装置２０に対するアドレスの設定が完了したものとして、アドレス設定処理を終了する。
【００７４】
ＳＡ７において受信機３０の生成部３５２は、アドレスの割り付け（割り当て）を行う。具体的には、まず、受信機３０の生成部３５２は、ＳＡ６において受信した第２応答信号に基づいて、光警報装置２０の親子関係を特定する。ここで、「親子関係」とは、光警報装置２０各々の間の通信における従属関係であって、具体的には、信号の中継元の（つまり、「親」となる）光警報装置２０と、信号の中継先の（つまり、「子」となる）光警報装置２０との関係である。
【００７５】
親子関係の特定について具体的には、ＳＡ６において受信した第２応答信号の「通信情報」を参照して、当該「通信情報」の最後尾のＩＤの１つ前のＩＤ（例えば、「通信情報」＝「ＩＤ３０−ＩＤ２１４−ＩＤ２１５」の場合、「ＩＤ２１４」）に対応する光警報装置２０を「親」として特定し、最後尾のＩＤ（例えば、「通信情報」＝「ＩＤ３０−ＩＤ２１４−ＩＤ２１５」の場合、「ＩＤ２１５」）を「子」として特定する。なお、図７において例示したように、通信の中継元の光警報装置２０（つまり、中継端末）が複数（例えば、図１の光警報装置２１４、２１８）選択されている場合、１つの光警報装置２０に対して複数の親子関係が特定されるが、この場合、より電界強度の高い電波にて通信するという観点から、以下に例示するように、１つの親子関係のみを特定する。
【００７６】
ここで、例えば、この親子関係の特定については、図５のＳＡ６において、光警報装置２１５からの第２応答信号として前述の「第２応答信号Ａ」及び「第２応答信号Ｂ」を受信するので、ＳＡ７において「第２応答信号Ａ」の「通信情報」＝「ＩＤ３０−ＩＤ２１４−ＩＤ２１５」に基づいて、「光警報装置２１４」＝「親」及び「光警報装置２１５」＝「子」を特定し、「第２応答信号Ｂ」の「通信情報」＝「ＩＤ３０−ＩＤ２１８−ＩＤ２１５」に基づいて、「光警報装置２１８」＝「親」及び「光警報装置２１５」＝「子」を特定することになり、光警報装置２１５について複数の親子関係（具体的には、複数の「親」）が特定される。この場合、「第２応答信号Ａ」における「測定結果情報」＝「８０」の方が、「第２応答信号Ｂ」における「測定結果情報」＝「５０」よりも値が大きいので、第２応答信号Ｂに基づく親子関係である「光警報装置２１８」＝「親」及び「光警報装置２１５」＝「子」を採用せずに、第２応答信号Ａに基づく親子関係である「光警報装置２１４」＝「親」及び「光警報装置２１５」＝「子」を親子関係として採用する。そして、このような処理を行って、「光警報装置２１４」を「親」として特定し、「光警報装置２１５〜２１７」を光警報装置２１４の「子」として特定し、また、「光警報装置２１８」を「親」として特定し、「光警報装置２１９〜２２１」を光警報装置２１８の「子」として特定する。
【００７７】
次に、受信機３０の選択部３５３は、ＳＡ６において受信した第２応答信号、及び図４の選択条件特定情報３４２に基づいて選択条件特定情報３４２の選択条件に該当するか否かを判定し、当該判定結果に基づいて中継端末を選択する。具体的には、共通の「親」を持つ「子」のグループ（つまり、例えば、光警報装置２１４を「親」とする「子」のグループである光警報装置２１５〜２１７のグループ、光警報装置２１８を「親」とする「子」のグループである光警報装置２１９〜２２１のグループ）毎に、ＳＡ３の場合と同様にして中継端末を特定する。ここでは、例えば、光警報装置２１４を「親」とする「子」のグループである光警報装置２１５〜２１７のグループについては、図４の項目「優先順位」＝「１」の条件には該当しないが、図４の項目「優先順位」＝「２」の条件に関して、光警報装置２１４からの第２要求信号の測定値が、図７の項目「電界強度」の項目「中継端末（ＩＤ２１４）」に示されるように、光警報装置２１５〜２１７各々において「８０」、「７０」、「６０」となっており、「閾値」＝「５０」以上となっているので、「８０」、「７０」、「６０」のうちの最小である「６０」に対応する光警報装置２１７が図４の項目「優先順位」＝「２」の条件に該当し、「中継端末」として「光警報装置２１７」を選択する。また、例えば、光警報装置２１８を「親」とする「子」のグループである光警報装置２１９〜２２１のグループについては、図４の項目「優先順位」＝「１」の条件には該当しないが、図４の項目「優先順位」＝「２」の条件に関して、光警報装置２１８からの第２要求信号の測定値が、図７の項目「電界強度」の項目「中継端末（ＩＤ２１８）」に示されるように、光警報装置２１９〜２２１各々において「７０」、「６０」、「４５」となっており、「７０」、「６０」が「閾値」＝「５０」以上となっているので、「７０」、「６０」のうちの最小である「６０」に対応する光警報装置２２０が図４の項目「優先順位」＝「２」の条件に該当し、「中継端末」として「光警報装置２２０」を選択する。
【００７８】
次に、ＳＡ３の場合と同様にして、受信機３０の生成部３５２は、中継端末を選択したか否かに基づいて、アドレスを割り付ける。具体的には、前述のグループ毎に、電界強度が高い方から低い方に向かって、現時点までに設定したアドレスに連続するアドレスを順次割り付ける。ここでは、例えば、図７のＩＤ２１５〜ＩＤ２１７（つまり、光警報装置２１５〜２１７）に対して、「Ａｄｒ５〜Ａｄｒ７」を割り付け、ＩＤ２１９、ＩＤ２２０（つまり、光警報装置２１９、２２０）に対して、「Ａｄｒ５、Ａｄｒ６」を割り付ける。なお、光警報装置２２１については、測定した電界強度が中継端末の電界強度よりも低くなっているために、ここでは、アドレスを割り付けない。
【００７９】
図５に戻って、ＳＡ８において受信機３０の生成部３５２は、図３の記憶部３４に記憶されているアドレス特定情報３４１を更新する。具体的には、ＳＡ７において割り付けたアドレスが追加されるように更新する。ここでは、例えば、「ＩＤ２１５」に対して「Ａｄｒ５」、「ＩＤ２１６」に対して「Ａｄｒ６」、「ＩＤ２１７」に対して「Ａｄｒ７」、「ＩＤ２１９」に対して「Ａｄｒ５」、「ＩＤ２２０」に対して「Ａｄｒ６」が新たに追加されて記憶されるように更新する。
【００８０】
図５に戻って、ＳＡ９において受信機３０の通信制御部３５１は、第２設定信号を生成し、当該生成した第２設定信号を無線送信した後、ＳＡ６に移行する。具体的には、「設定アドレス情報」＝「ＳＡ８で記憶したアドレス」、「設定対象装置情報」＝「ＳＡ８で記憶した光警報装置２０のＩＤ」、「中継端末選択情報」＝「「設定対象装置情報」が特定する光警報装置２０と同じグループの光警報装置２０のうちの、ＳＡ７で中継端末として選択した光警報装置２０のＩＤ」、「通信情報」＝「「設定対象装置情報」について直近に受信した第２応答信号のうちの特定された親子関係の基となった第２応答信号の「通信情報」」を含む第２設定信号を生成し、当該生成した第２設定信号を通信部３３を介して送信する。なお、「「設定対象装置情報」が特定する光警報装置２０と同じグループの光警報装置２０のうちの、ＳＡ７で中継端末として選択した光警報装置２０のＩＤ」については、ＳＡ７において、共通の「親」をもつ「子」のグループのうちの、「中継端末」として選択された光警報装置２０を示しており、例えば、光警報装置２１４を「親」とする「子」のグループである光警報装置２１５〜２１７のグループにおける「光警報装置２１７」、又は光警報装置２１８を「親」とする「子」のグループである光警報装置２１９〜２２１のグループの「光警報装置２２０」である。また、「「設定対象装置情報」について直近に受信した第２応答信号のうちの特定された親子関係の基となった第２応答信号の「通信情報」」については、例えば、「設定対象装置情報」＝「ＩＤ２１５」の場合、「第２応答信号Ａ」及び「第２応答信号Ｂ」のうちの、「第２応答信号Ａ」の「通信情報」である「ＩＤ３０−ＩＤ２１４−ＩＤ２１５」を示している。このように第２設定信号の「通信情報」を設定することにより、前述のように特定した親子関係に基づいて確実に通信することが可能になる。
【００８１】
ここでは、例えば、図１の光警報装置２１５のアドレスを設定するための第２設定信号（つまり、「設定アドレス情報」＝「Ａｄｒ５」、「設定対象装置情報」＝「ＩＤ２１５」、「中継端末選択情報」＝「ＩＤ２１７」、及び「通信情報」＝「ＩＤ３０−ＩＤ２１４−ＩＤ２１５」を含む第２設定信号（以下、光警報装置２１５のための第２設定信号））を生成して送信し、また、光警報装置２２０のアドレスを設定するための第２設定信号（つまり、「設定アドレス情報」＝「Ａｄｒ６」、「設定対象装置情報」＝「ＩＤ２２０」、「中継端末選択情報」＝「ＩＤ２２０」、及び「通信情報」＝「ＩＤ３０−ＩＤ２１８−ＩＤ２２０」を含む第２設定信号（以下、光警報装置２２０のための第２設定信号））を生成して送信し、光警報装置２１６、２１７、２１９のアドレスを設定するための第２設定信号も、同様にして生成して送信する。
【００８２】
次に、図６のＳＣ３において中継端末である光警報装置２０の通信制御部２５２は、受信機３０からの第２設定信号を無線中継した後、リターンする。具体的には、ＳＣ２の場合と同様にして、図９のＳＡ９において送信された第２設定信号の「通信情報」を参照して、当該「通信情報」に自己のＩＤが含まれている場合にのみ、通信部２１を介して第２設定信号を中継する。中継する場合について更に具体的には、「通信情報」の自己のＩＤに続くＩＤの装置に対して、第２応答信号を中継する。ここでは、例えば、「光警報装置２１５のための第２設定信号」の「通信情報」＝「ＩＤ３０−ＩＤ２１４−ＩＤ２１５」には、「ＩＤ２１４」が含まれているので、光警報装置２１４は、当該「ＩＤ２１４」に続く「ＩＤ２１５」に対応する光警報装置２１５に対して第２設定信号を中継する。また、例えば、「光警報装置２２０のための第２設定信号」の「通信情報」＝「ＩＤ３０−ＩＤ２１８−ＩＤ２２０」には、「ＩＤ２１８」が含まれているので、光警報装置２１８は、当該「ＩＤ２１８」に続く「ＩＤ２２０」に対応する光警報装置２２０に対して第２設定信号を中継する。このように、図６のＳＣ３において中継が行われているので、受信機３０から比較的遠方に設置されている光警報装置２１５〜２１７、２１９、２１０が、第２設定信号を確実に受信することが可能となる。
【００８３】
次に、ＳＤ６において被中継端末である光警報装置２０の設定部２５３は、図５のＳＢ５の場合と同様にしてアドレスを設定する。ここでは、例えば、光警報装置２１５〜２１７は、「Ａｄｒ５〜Ａｄｒ７」を自己のアドレスとして設定し、光警報装置２１９、２２０も、「Ａｄｒ５、Ａｄｒ６」を自己のアドレスとして設定する。
【００８４】
図６に戻って、ＳＤ７において被中継端末である光警報装置２０の制御部２５は、図５のＳＢ６と同様な処理を行う。具体的には、図６のＳＤ５において受信した第２設定信号の「中継端末選択情報」に光警報装置２０のＩＤが含まれているか否かを判定する。そして、光警報装置２０のＩＤが含まれている場合、中継設定処理を実行すると判定し（ＳＤ７のＹＥＳ）、ＳＤ８に移行する。また、光警報装置２０のＩＤが含まれていない場合、中継設定処理を実行しないと判定し（ＳＤ７のＮＯ）、リターンする。
【００８５】
次に、ＳＤ８において光警報装置２０の制御部２５は、図５のＳＢ７の場合と同様にして、中継設定処理（つまり、図６に示す処理と同様な処理）を起動し、以降上述の各処理と同様な処理を行う。ここでは、例えば、図６のＳＤ５において受信した第２設定信号（例えば、光警報装置２１５のための第２設定信号）に「中継端末選択情報」＝「ＩＤ２１７」が含まれているので、光警報装置２１７が中継処理を実行し、光警報装置２１１〜２１６、２１８〜２２１が被中継処理を実行するが、ＳＣ１において光警報装置２１７が送信する第２要求信号は、アドレスが設定されていない光警報装置２２１には到達せずに、アドレス設定処理を終了する。一方、例えば、図６のＳＤ５において受信した第２設定信号（例えば、光警報装置２２０のための第２設定信号）に「中継端末選択情報」＝「ＩＤ２２０」が含まれているので、光警報装置２２０が中継処理を実行し、光警報装置２１１〜２１９、２１１が被中継処理を実行する。この後、ＳＣ１において光警報装置２２０は、「要求装置情報」＝「ＩＤ２２０」、「通信情報」＝「ＩＤ３０−ＩＤ２１８−ＩＤ２２０」を含む第２要求信号を送信し、ＳＤ３において光警報装置２２１は、図７の項目「電界強度」の項目「中継端末（ＩＤ２２０）」に示すように、「７０」を測定し、ＳＤ４において、「測定結果情報」＝「７５」、「応答装置情報」＝「ＩＤ２２１」、「通信情報」＝「ＩＤ３０−ＩＤ２１８−ＩＤ２２０−ＩＤ２２１」を含む第２応答信号を生成して送信する。そして、この第２応答信号は、光警報装置２２０、２１８に中継されて、受信機３０にて受信される。この後、図５のＳＡ６〜ＳＡ８の後のＳＡ９において、「設定アドレス情報」＝「Ａｄｒ７」、「設定対象装置情報」＝「ＩＤ２１１」、「中継端末選択情報」＝「なし」、及び「通信情報」＝「ＩＤ３０−ＩＤ２１８−ＩＤ２２０−ＩＤ２２１」を含む第２設定信号を送信し、この後、光警報装置２２１が、送信された第２設定信号に基づいて「Ａｄｒ７」を自己のアドレスとして設定した後、アドレス設定処理を終了する。
【００８６】
そして、このような処理によって図７の項目「割付アドレス」に示すように、光警報装置２０のアドレスが設定されるので、連続するアドレスを順次指定して光警報装置２０を制御することにより、適切な防災の処理を行うことが可能になる。防災の処理について具体的には、図１の受信機３０は、Ａｄｒ７〜Ａｄｒ１のように数値（具体的には、「Ａｄｒ」以外の部分の数値）が大きいものから小さいものの順に１個ずつ指定して光警報装置２０を順次繰り返し発光させることにより、廊下１１、１２において出入口１０１に向かって流れるような印象を与えるように光警報装置２０を発光させることにより、避難者を出入口１０１に案内することが可能になる。
【００８７】
（実施の形態の効果）
このように本実施の形態の防災システム１によれば、受信機３０から出力される第１要求信号についての複数の光警報装置２０による測定結果に基づいてアドレスが設定されるので、例えば、複数の光警報装置２０に対してユーザが手作業にてアドレスを設定することなく、アドレスを自動的に設定することができ、アドレスを容易に設定することが可能になる。
【００８８】
また、防災システム１によれば、受信機３０と被中継端末である光警報装置２０との間の通信を中継端末である光警報装置２０が中継するので、例えば、受信機３０とは直接通信することが困難となっている被中継端末である光警報装置２０に対してもアドレスを設定することが可能になる。
【００８９】
また、防災システム１によれば、受信機３０の通信部３３が受信した第１応答信号に基づいて、複数の光警報装置２０が選択条件特定情報３４２の選択条件に該当するか否かを判定するので、例えば、受信機３０との間で安定的に通信することが可能な光警報装置２０を中継端末として選択することができ、複数の光警報装置２０に対するアドレスの設定漏れを防止することができる。
【００９０】
また、防災システム１によれば、光警報装置２０から出力された中継端末識別情報に基づいて、複数の光警報装置２０が選択条件特定情報３４２の選択条件に該当するか否かを判定するので、例えば、複数の光警報装置２０の建築物１００における設置位置等を反映してユーザが中継端末を指定することができ、複数の光警報装置２０に対するアドレスの設定漏れを防止することができる。
【００９１】
〔実施の形態に対する変形例〕
以上、本発明に係る実施の形態について説明したが、本発明の具体的な構成及び手段は、特許請求の範囲に記載した本発明の技術的思想の範囲内において、任意に改変及び改良することができる。以下、このような変形例について説明する。
【００９２】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。例えば、従来のシステムよりも防災性を向上できない場合であっても、従来のシステムと同程度の防災性を従来のシステムとは異なる本願発明のシステムによって達成できている場合には、本願発明の課題が解決されている。
【００９３】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。例えば、光警報装置２０、及び受信機３０をそれぞれ複数の装置に分散して構成したり、当該各装置を統合したりしてもよい。具体的には、受信機３０におけるアドレスを設定するための各機能全てを、アドレス設定専用装置に設けて、当該アドレス設定専用装置を用いて光警報装置２０のアドレスを設定するようにしてもよいし、受信機３０におけるアドレスを設定するための各機能のうちの少なくとも一部を第１設定装置に設けて、当該機能のうちの他の一部を第２設定装置に設けて、これらの第１設定装置及び第２設定装置が協働して光警報装置２０のアドレスを設定するようにしてもよい。
【００９４】
（形状、数値、構造、時系列について）
また、実施の形態や図面において例示した構成要素に関して、形状、数値、又は複数の構成要素の構造若しくは時系列の相互関係については、本発明の技術的思想の範囲内において、任意に改変及び改良することができる。
【００９５】
（測定対象、物理量について）
また、実施の形態においては、電波の電界強度に基づいて光警報装置２０のアドレスを設定する場合について説明したが、これに限られない。例えば、光の光量に基づいて光警報装置２０のアドレスを設定してもよい。具体的には、図１の受信機３０及び中継端末が電波の代わりに光を出力し、光警報装置２０が光量を測定し、この光量の測定結果に基づいて光警報装置２０のアドレスを設定してもよい。つまり、実施の形態における「電波」及び「電界強度」夫々を「光」及び「光量」に読み替えて、各処理を行うようにしてもよい。また、例えば、音の音量に基づいて光警報装置２０のアドレスを設定してもよい。具体的には、図１の受信機３０及び中継端末が電波の代わりに音を出力し、光警報装置２０が音量を測定し、この音量の測定結果に基づいて光警報装置２０のアドレスを設定してもよい。つまり、実施の形態における「電波」及び「電界強度」夫々を「音」及び「音量」に読み替えて、各処理を行うようにしてもよい。
【００９６】
（設定するアドレスについて）
また、実施の形態においては、図５のＳＡ３及びＳＡ７において、連続するアドレスを割り付ける場合について説明したが、これに限られない。例えば、光警報装置２０においてお互いに重複しないように任意のアドレスを割り付けてもよい。
【００９７】
（中継端末の選択について）
また、実施の形態においては、図５のＳＡ３及びＳＡ７において、図４の選択条件特定情報３４２の「優先順位」に基づいて中継端末を選択する場合について説明したが、これに限られない。例えば、図４の選択条件特定情報３４２に示す条件のうちの、予め定めた１つのみの条件に該当する光警報装置２０を中継端末として選択してもよいし、複数の条件のうちの何れか１つの条件に該当する光警報装置２０を中継端末として選択してもよいし、複数の条件の全てに該当する光警報装置２０を中継端末として選択してもよい。また、例えば、中継端末として選択するべき光警報装置２０のＩＤを受信機３０に格納しておき、選択条件特定情報３４２に関わらず、当該格納されているＩＤに対応する光警報装置２０を中継端末として選択してもよい。
【００９８】
（付記）
付記１の識別情報設定システムは、複数の端末装置と、前記複数の端末装置を通信のために相互に識別する識別情報を設定するための識別情報設定装置と、を備える識別情報設定システムであって、前記複数の端末装置は、自己を一意に特定する特定情報を格納する格納手段と、第１測定手段と、第１測定結果特定情報出力手段と、第１設定手段と、を備え、前記識別情報設定装置は、測定対象出力手段と、受信手段と、生成手段と、設定情報出力手段と、を備え、前記識別情報設定装置の前記測定対象出力手段は、電波、光、又は音を含む測定対象を出力し、前記複数の端末装置の前記第１測定手段は、前記識別情報設定装置の前記測定対象出力手段が出力した前記測定対象の物理量を測定し、前記複数の端末装置各々の前記第１測定結果特定情報出力手段は、自己が属する前記端末装置の前記第１測定手段の測定結果を特定する第１測定結果特定情報、及び自己が属する前記端末装置の前記格納手段に格納されている前記特定情報を出力し、前記識別情報設定装置の前記受信手段は、前記複数の端末装置の前記第１測定結果特定情報出力手段が出力した前記第１測定結果特定情報及び前記特定情報を受信し、前記識別情報設定装置の前記生成手段は、前記識別情報設定装置の前記受信手段が受信した前記第１測定結果特定情報及び前記特定情報に基づいて、前記識別情報を設定するための第１設定情報を生成し、前記識別情報設定装置の前記設定情報出力手段は、前記識別情報設定装置の前記生成手段が生成した前記第１設定情報を前記特定情報と共に出力し、前記複数の端末装置各々の前記第１設定手段は、前記識別情報設定装置の前記設定情報出力手段が出力した前記第１設定情報及び前記特定情報に基づいて、自己が属する前記端末装置の前記識別情報を設定する。
【００９９】
付記２の識別情報設定システムは、付記１に記載の識別情報設定システムにおいて、前記識別情報設定装置は、前記複数の端末装置のうちの所定の条件に該当する端末装置を、中継端末装置として選択する選択手段と、要求手段と、を備え、前記中継端末装置は、中継測定対象出力手段と、中継手段と、を備え、前記複数の端末装置のうちの前記中継端末装置以外の端末装置である被中継端末装置は、第２測定手段と、第２測定結果特定情報出力手段と、第２設定手段と、を備え、前記識別情報設定装置の前記要求手段は、前記識別情報設定装置の前記選択手段が前記中継端末装置を選択した場合に、当該選択した中継端末装置に対して中継を要求し、前記中継端末装置の前記中継測定対象出力手段は、前記識別情報設定装置の前記要求手段が中継を要求した場合に、前記測定対象を出力し、前記被中継端末装置の前記第２測定手段は、前記中継端末装置の前記中継測定対象出力手段が出力した前記測定対象の物理量を測定し、前記被中継端末装置各々の前記第２測定結果特定情報出力手段は、前記被中継端末装置の前記第２測定手段の測定結果を特定する第２測定結果特定情報、及び自己が属する前記被中継端末装置の前記格納手段に格納されている前記特定情報を出力し、前記中継端末装置の前記中継手段は、前記被中継端末装置の前記第２測定結果特定情報出力手段が出力した前記第２測定結果特定情報及び前記特定情報を、前記識別情報設定装置に中継し、前記識別情報設定装置の前記受信手段は、前記中継端末装置の前記中継手段が中継した前記第２測定結果特定情報及び前記特定情報を受信し、前記識別情報設定装置の前記生成手段は、前記識別情報設定装置の前記受信手段が受信した前記第２測定結果特定情報及び前記特定情報に基づいて、前記識別情報を設定するための第２設定情報を生成し、前記識別情報設定装置の前記設定情報出力手段は、前記識別情報設定装置の前記生成手段が生成した前記第２設定情報を前記特定情報と共に出力し、前記被中継端末装置各々の前記第２設定手段は、前記識別情報設定装置の前記設定情報出力手段が出力した前記第２設定情報及び前記特定情報に基づいて、自己が属する前記被中継端末装置の前記識別情報を設定する。
【０１００】
付記３の識別情報設定システムは、付記２に記載の識別情報設定システムにおいて、前記識別情報設定装置の前記選択手段は、前記識別情報設定装置の前記受信手段が受信した前記第１測定結果特定情報に基づいて、前記複数の端末装置が前記所定の条件に該当するか否かを判定する。
【０１０１】
付記４の識別情報設定システムは、付記２又は３に記載の識別情報設定システムにおいて、前記複数の端末装置各々は、自己が前記中継端末装置であることを示す中継端末識別情報を出力する出力手段、を備え、前記識別情報設定装置の前記選択手段は、前記複数の端末装置から出力された前記中継端末識別情報に基づいて、前記複数の端末装置が前記所定の条件に該当するか否かを判定する。
【０１０２】
（付記の効果）
付記１に記載の識別情報設定システムによれば、識別情報設定装置から出力される測定対象についての複数の端末装置による測定結果に基づいて識別情報が設定されるので、例えば、複数の端末装置に対してユーザが手作業にて識別情報を設定することなく、識別情報を自動的に設定することができ、識別情報を容易に設定することが可能になる。
【０１０３】
付記２に記載の識別情報設定システムによれば、識別情報設定装置と被中継端末装置との間の通信を中継端末装置が中継するので、例えば、識別情報設置装置とは直接通信することが困難となっている被中継端末装置に対しても識別情報を設定することが可能になる。
【０１０４】
付記３に記載の識別情報設定システムによれば、識別情報設定装置の受信手段が受信した第１測定結果特定情報に基づいて、複数の端末装置が所定の条件に該当するか否かを判定するので、例えば、識別情報設定装置との間で安定的に通信することが可能な端末装置を中継端末装置として選択することができ、複数の端末装置に対する識別情報の設定漏れを防止することができる。
【０１０５】
付記４に記載の識別情報設定システムによれば、複数の端末装置から出力された中継端末識別情報に基づいて、複数の端末装置が所定の条件に該当するか否かを判定するので、例えば、複数の端末装置の設置位置等を反映してユーザが中継端末装置を指定することができ、複数の端末装置に対する識別情報の設定漏れを防止することができる。
【符号の説明】
【０１０６】
１  防災システム
１１  廊下
１２  廊下
２０  光警報装置
２１  通信部
２２  発光部
２３  発光駆動部
２４  記憶部
２５  制御部
３０  受信機
３１  入力部
３２  出力部
３３  通信部
３４  記憶部
３５  制御部
１００  建築物
１０１  出入口
２１１  光警報装置
２１２  光警報装置
２１３  光警報装置
２１４  光警報装置
２１５  光警報装置
２１６  光警報装置
２１７  光警報装置
２１８  光警報装置
２１９  光警報装置
２２０  光警報装置
２２１  光警報装置
２５１  測定部
２５２  通信制御部
２５３  設定部
３４１  アドレス特定情報
３４２  選択条件特定情報
３５１  通信制御部
３５２  生成部
３５３  選択部
【図１】
0006542090.tif 000002
【図２】
0006542090.tif 000003
【図３】
0006542090.tif 000004
【図４】
0006542090.tif 000005
【図５】
0006542090.tif 000006
【図６】
0006542090.tif 000007
【図７】
0006542090.tif 000008